(57)【要約】【課題】本発明は、イオン発生装置のメンテナンスなどを容易に行うことができるうえに、空調性能を低下させることがないイオン発生装置付き給気口を提供する。【解決手段】建物１の床としての床部１ａに設けられる給気口７，９であって、給気口７，９は、下側の筒状部７２と、筒状部７２の径よりも幅の広い上側の膨出部７１とを有する給気口ボックス７０と、給気口ボックス７０の膨出部７１の上部を塞ぐ通気性を有する蓋としてのガラリ蓋７４とから成り、給気口ボックス７０の膨出部７１の内側面に、イオン発生装置１１，１１が設置された構成とされている。【選択図】図２
2012052729.tif 000002
【特許請求の範囲】
【請求項１】
建物の床に設けられる給気口であって、
前記給気口は、下側の筒状部と、該筒状部の径よりも幅の広い上側の膨出部とを有する給気口ボックスと、該給気口ボックスの前記膨出部の上部を塞ぐ通気性を有する蓋とから成り、
前記給気口ボックスの前記膨出部の内側面に、イオン発生装置が設置されていることを特徴とするイオン発生装置付き給気口。
【請求項２】
前記イオン発生装置は、前記筒状部の上方において、少なくとも該筒状部と同等以上の通気断面を確保する厚さであることを特徴とする請求項１に記載のイオン発生装置付き給気口。
【請求項３】
請求項１又は２に記載のイオン発生装置付き給気口を備えており、
空調装置が前記建物の床下空間に設置されており、該空調装置より吹き出される空調空気は、前記給気口から前記建物の床上空間に給気可能とされていることを特徴とする空調システム。
【請求項４】
前記給気口に設けられた前記イオン発生装置の電源線と前記空調装置とが接続されており、前記イオン発生装置の稼動と前記空調装置の稼動とが連動可能とされていることを特徴とする請求項３に記載の空調システム。
【請求項５】
請求項３又は４に記載の空調システムを備えていることを特徴とする建物。
【発明の詳細な説明】
【技術分野】
【０００１】
本発明は、イオン発生装置付き給気口及びこの給気口を備えた空調システム及びこの空調システムを備えた建物に関するものである。
【背景技術】
【０００２】
従来から、細菌やウイルスなどを死滅させたり、不活性化させたりすることができるイオン発生機能付きの空調システムは実施に供されており、様々な提案がなされている。
【０００３】
例えば、特許文献１に開示された従来技術では、床上空間の天井に設けられた給気口にイオン発生装置が設置されている。
【０００４】
また、特許文献２に開示された従来技術では、床上空間の床に設けられた給気口にイオン発生装置が設置されている。
【先行技術文献】
【特許文献】
【０００５】
【特許文献１】特許第４０６９１７０号公報
【特許文献２】特開２００７−７８２５４号公報
【発明の概要】
【発明が解決しようとする課題】
【０００６】
しかしながら、特許文献１に開示された従来技術では、イオン発生装置が床上空間の天井に設けられた給気口に設置されているため、イオン発生装置のメンテナンスなどを容易に行うことができないという問題がある。
【０００７】
また、特許文献２に開示された従来技術では、イオン発生装置が床上空間の床に設けられた給気口に設置されているため、特許文献１に開示された従来技術と比べれば、イオン発生装置のメンテナンスなどは容易に行えるものの、イオン発生装置は給気口の中心部に設置されるため、空調空気の吹出しの邪魔となり、本来の空調性能を低下させてしまうという問題がある。
【０００８】
そこで、本発明は、イオン発生装置のメンテナンスなどを容易に行うことができるうえに、空調性能を低下させることがないイオン発生装置付き給気口、この給気口を備えた空調システム及びこの空調システムを備えた建物を提供することを目的としている。
【課題を解決するための手段】
【０００９】
前記目的を達成するために、本発明のイオン発生装置付き給気口は、建物の床に設けられる給気口であって、前記給気口は、下側の筒状部と、該筒状部の径よりも幅の広い上側の膨出部とを有する給気口ボックスと、該給気口ボックスの前記膨出部の上部を塞ぐ通気性を有する蓋とから成り、前記給気口ボックスの前記膨出部の内側面に、イオン発生装置が設置されていることを特徴とする。
【００１０】
ここで、前記イオン発生装置は、前記筒状部の上方において、少なくとも該筒状部と同等以上の通気断面を確保する厚さであるとよい。
【００１１】
本発明の空調システムは、上記したイオン発生装置付き給気口を備えており、空調装置が前記建物の床下空間に設置されており、該空調装置より吹き出される空調空気は、前記給気口から前記建物の床上空間に給気可能とされていることを特徴とする。
【００１２】
ここで、前記給気口に設けられた前記イオン発生装置の電源線と前記空調装置とが接続されており、前記イオン発生装置の稼動と前記空調装置の稼動とが連動可能とされているとよい。
【００１３】
本発明の建物は、上記した空調システムを備えていることを特徴とする。
【発明の効果】
【００１４】
このような本発明のイオン発生装置付き給気口は、建物の床に設けられる給気口である。
【００１５】
そして、給気口は、下側の筒状部と、筒状部の径よりも幅の広い上側の膨出部とを有する給気口ボックスと、給気口ボックスの膨出部の上部を塞ぐ通気性を有する蓋とから成り、給気口ボックスの膨出部の内側面に、イオン発生装置が設置された構成とされている。
【００１６】
こうした構成なので、床に設けられているため、イオン発生装置のメンテナンスなどを容易に行うことができる。
【００１７】
そのうえ、イオン発生装置を給気口ボックスの膨出部内に収めることができるため、空調システムの給気口に適用した場合には、イオン発生装置が空調空気の吹出しの邪魔とならず、空調性能を低下させないで済む。
【００１８】
ここで、イオン発生装置が、筒状部の上方において、少なくとも筒状部と同等以上の通気断面を確保する厚さである場合は、給気口ボックスの膨出部を特別に大きくせずに、給気口の大きさを従来と同程度にすることができ、意匠的外観を損ねずに済む。
【００１９】
このような本発明の空調システムは、上記したイオン発生装置付き給気口を備えている。
【００２０】
そして、空調装置が建物の床下空間に設置されており、空調装置より吹き出される空調空気は、給気口から建物の床上空間に給気可能とされた構成とされている。
【００２１】
こうした構成なので、上記したイオン発生装置付き給気口の効果を享受した空調システムとすることができる。
【００２２】
そのうえ、空調装置が、床下空間に設置されているので、床上空間は、これに占用されず、有効に利用することができ、意匠的外観も良い。
【００２３】
ここで、給気口に設けられたイオン発生装置の電源線と空調装置とが接続されており、イオン発生装置の稼動と空調装置の稼動とが連動可能とされている場合は、空調装置の稼動時にイオン発生装置が稼動する構造を簡易なものとすることができる。
【００２４】
このような本発明の建物は、上記した空調システムを備えた構成とされている。
【００２５】
こうした構成なので、上記した空調システムの効果を享受した建物とすることができる。
【図面の簡単な説明】
【００２６】
【図１】実施例の空調システムを備えた建物の概略構成を説明するための説明図である。
【図２】図１における給気口の部分を拡大して示す部分拡大断面図である。
【図３】図２におけるＡ−Ａ線矢視断面図である。
【図４】実施例の空調システムにおいて、即効性を有する暖房又は冷房を行った状態を示す説明図である。
【図５】実施例の空調システムにおいて、床下暖房を行った状態を示す説明図である。
【図６】実施例の空調システムにおいて、即効性を有する暖房及び床下暖房の両方を行った状態を示す説明図である。
【発明を実施するための形態】
【００２７】
以下、本発明を実施するための形態を、図面に示す実施例に基づいて説明する。
【実施例】
【００２８】
先ず、実施例の構成について説明する。
【００２９】
図１は、実施例の空調システムを備えた建物１の概略構成を示している。
【００３０】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３１】
そして、この天井部１ｅと外壁部１ｄとに囲まれる空間は、床としての床部１ａによって床下空間４と居室などの床上空間５とが区切られている。この床部１ａは、特に床下空間４側からの床下暖房を考慮して、床下空間４と床上空間５との間の熱の伝達を許容し、断熱材が貼り付けられていない構成となっている。
【００３２】
また、基礎側壁コンクリート１ｃの床下空間４側には、グラスウールなどの基礎断熱材１０が貼り付けられており、床下空間４内の暖気の熱が屋外に極力漏れない断熱構造となっている。
【００３３】
そして、実施例の空調システムは、床下空間４に空調装置としてのエアコンディショナの屋内機３が設置されている。
【００３４】
ここで、この空調装置としてのエアコンディショナは、ヒートポンプ式であり、屋内機３は、屋外に設置された屋外機２と接続されている。
【００３５】
また、エアコンディショナの屋内機３の内部には、屋外機２に繋がっている熱媒循環管路２１が接続されている。
【００３６】
さらに、このエアコンディショナの屋内機３には、除湿機能を有するものが用いられており、床下空間４から屋外へ貫通する排水用のドレイン１２が設けられている。
【００３７】
また、このエアコンディショナの屋内機３は、吸込部３１と床上用放熱冷部としての床上用吹出部３２と床下用放熱部としての床下用吹出部３３とを有している。
【００３８】
さらに、このエアコンディショナの屋内機３には、床上用吹出部３２及び床下用吹出部３３から空気を様々な強さで吹き出させることが可能なファン（図示せず）が内蔵されている。
【００３９】
また、床上用吹出部３２と床下用吹出部３３とには、電動ダンパーなどから成る開閉弁３２ａ，３３ａがそれぞれ設けられている。
【００４０】
さらに、床部１ａには、排気口６と２種類の給気口７，９とが設けられている。
【００４１】
ここで、排気口６には、空調装置としてのエアコンディショナの屋内機３の故障を防止するための防塵フィルター６ａが設けられている。
【００４２】
そして、排気口６とエアコンディショナの屋内機３の吸込部３１とは、ダクト８１を介して接続されている。
【００４３】
また、給気口７は、図２及び図３に示したように、床部１ａに設けた孔に、鍔付き角形容器状の膨出部７１と、この膨出部７１の下部から筒状部７２を垂下させて成る給気口ボックス７０が、嵌め込まれて形成されている。
【００４４】
そのうえで、筒状部７２の下部にダクト８２の上端部が嵌め込まれており、給気口７とエアコンディショナの屋内機３の床上用吹出部３２とは、ダクト８２を介して接続されている。
【００４５】
そして、グリル本体７０の膨出部７１の内側面には、一対の薄型のイオン発生装置１１，１１が向かい合わせで設置されている。
【００４６】
なお、イオン発生装置１１，１１の内側面間の距離は、筒状部７２の内径と略同一とされている。
【００４７】
ここで、これらのイオン発生装置１１，１１には、プラスイオンの放出孔１１ａ，１１ａとマイナスイオンの放出孔１１ｂ，１１ｂとが設けられており、十分な量のプラスイオンとマイナスイオンとを放出することができるようになっている。
【００４８】
また、これらのイオン発生装置１１，１１の上方には、落下物防止用のフィルター７３が着脱自在に設けられている。
【００４９】
さらに、この給気口ボックス７０の膨出部７１の上側は、複数の斜めに傾斜した羽板を備えた通気性を有する蓋としてのガラリ蓋７４で塞がれている。
【００５０】
そして、これらのイオン発生装置１１，１１の電源線１１ｃは、空調装置としてのエアコンディショナの屋内機３の制御回路と接続されており、イオン発生装置１１，１１の稼動は、エアコンディショナの屋内機３の稼動と連動するようになっている。
【００５１】
さらに、別の給気口９は、筒状部７２の下部にダクトが嵌め込まれておらず、床下空間４と直接連通していることが異なり、その他の構成は、給気口７と略同一なので、図示及びこれ以上の説明を省略する。
【００５２】
なお、床上空間５には、所望の運転パターンに設定するためのコントローラ１３が設けられている。
【００５３】
次に、実施例の空調システムの運転パターンについて説明する。
【００５４】
まず、暖房運転時のパターンについて説明する。
【００５５】
床上空間５を、即効性を有する暖房のみで暖めたいときは、エアコンディショナの屋内機３の床上用吹出部３２の開閉弁３２ａを開状態とし、床下用吹出部３３の開閉弁３３ａは閉状態とする。
【００５６】
そして、エアコンディショナの屋内機３を稼動させると、図４に示したように、床上空間５のみで暖気が対流して、床上空間５が即座に暖まる。
【００５７】
床上空間５を、床下暖房のみで暖めたいときは、エアコンディショナの屋内機３の床上用吹出部３２の開閉弁３２ａを閉状態とし、床下用吹出部３３の開閉弁３３ａは開状態とする。
【００５８】
そして、エアコンディショナの屋内機３を稼動させると、図５に示したように、床下空間４が即座に暖められ、その熱が主に床部１ａを介して床上空間５へ伝達され、床上空間５が均一にムラなく暖まる。
【００５９】
厳寒期などに、床上空間５を、即効性を有する暖房及び床下暖房の両者で暖めたいときは、エアコンディショナの屋内機３の床上用吹出部３２の開閉弁３２ａを開状態とし、床下用吹出部３３の開閉弁３３ａも開状態とする。
【００６０】
そして、エアコンディショナの屋内機３を稼動させると、図６に示したように、床上空間５のみで対流する暖気と、主に床部１ａを介して床上空間５へ伝達され、床上空間５を均一にムラなく暖める熱とで、床上空間５が即座に且つ均一にムラなく暖まる。
【００６１】
次に、冷房運転時のパターンについて説明する。
【００６２】
床上空間５を冷房で冷やしたいときは、エアコンディショナの屋内機３の床上用吹出部３２の開閉弁３２ａを開状態とし、床下用吹出部３３の開閉弁３３ａは閉状態とする。
【００６３】
そして、エアコンディショナの屋内機３を稼動させると、図４に示したように、床上空間５のみで冷気が対流して、床上空間５が即座に冷やされる。
【００６４】
なお、この冷房運転時には、コントローラ１３で所望の湿度を設定することにより、エアコンディショナの屋内機３の除湿機能で除湿することもできる。
【００６５】
すなわち、暖房運転時、冷房運転時の運転パターンを問わず、エアコンディショナの屋内機３から吹き出された空調空気は、給気口７又は別の給気口９のいずれかを通り、十分な量のプラスイオンとマイナスイオンとを放出しながら、床上空間５へ給気されることとなる。
【００６６】
なお、暖房運転時や冷房運転時以外でも、イオン発生機能をオンに設定して、空調装置としてのエアコンディショナの屋内機３の図示省略のファンのみを稼動させることもできる。
【００６７】
勿論、イオン発生機能をオフに設定して、空調装置としてのエアコンディショナの屋内機３のみを稼動させることもできる。
【００６８】
次に、実施例の作用効果について説明する。
【００６９】
このような実施例のイオン発生装置付き給気口７，９は、建物１の床としての床部１ａに設けられる給気口である。
【００７０】
そして、給気口７，９は、下側の筒状部７２と、筒状部７２の径よりも幅の広い上側の膨出部７１とを有する給気口ボックス７０と、給気口ボックス７０の膨出部７１の上部を塞ぐ通気性を有する蓋としてのガラリ蓋７４とから成り、給気口ボックス７０の膨出部７１の内側面に、イオン発生装置１１，１１が設置された構成とされている。
【００７１】
こうした構成なので、床部１ａに設けられているため、イオン発生装置１１，１１のメンテナンスなどを容易に行うことができる。
【００７２】
そのうえ、イオン発生装置１１，１１を給気口ボックス７０の膨出部７１内に収めることができるため、イオン発生装置１１，１１が空調空気の吹出しの邪魔とならず、空調性能を低下させないで済む。
【００７３】
ここで、イオン発生装置１１，１１は、筒状部７２の上方において、筒状部７２と同等以上の通気断面を確保する薄型のものである。
【００７４】
このため、給気口ボックス７０の膨出部７１を特別に大きくせずに、給気口７，９の大きさを従来と同程度にすることができ、意匠的外観を損ねずに済む。
【００７５】
このような実施例の空調システムは、上記した実施例のイオン発生装置付き給気口７，９を備えている。
【００７６】
そして、空調装置としてのエアコンディショナの屋内機３が建物１の床下空間４に設置されており、エアコンディショナの屋内機３より吹き出される空調空気は、給気口７，９から建物１の床上空間５に給気可能とされた構成とされている。
【００７７】
こうした構成なので、上記した実施例のイオン発生装置付き給気口７，９の作用効果を享受した空調システムとすることができる。
【００７８】
そのうえ、空調装置としてのエアコンディショナの屋内機３などが、床下空間４に設置されているので、床上空間５は、これらに占用されず、有効に利用することができ、意匠的外観も良い。
【００７９】
ここで、給気口７，９に設けられたイオン発生装置１１，１１の電源線１１ｃと空調装置としてのエアコンディショナの屋内機３の制御回路とが接続されており、イオン発生装置１１，１１の稼動とエアコンディショナの屋内機３の稼動とが連動可能とされている。
【００８０】
このため、エアコンディショナの屋内機３の稼動時にイオン発生装置１１，１１が稼動する構造を簡易なものとすることができる。
【００８１】
また、空調装置としてのエアコンディショナの屋内機３は、ヒートポンプ式であり、屋外に設置された屋外機２に接続されている。
【００８２】
このため、ヒートポンプを用いるので、省エネルギー性能に優れたものとすることができる。
【００８３】
さらに、床下空間４は、建物１の床としての床部１ａと基礎底盤コンクリート１ｂと基礎側壁コンクリート１ｃとに囲まれているとともに、基礎側壁コンクリート１ｃには基礎断熱材１０が取り付けられている。
【００８４】
このため、床下空間４を断熱構造とするため、床下空間４内は、空調装置としてのエアコンディショナの屋内機３に極力悪影響を与えない安定した温度環境となる。また、床下暖房時には、床下空間４内の暖気の熱を屋外に極力漏らすことなく、エネルギー効率のよい床下暖房を行える。
【００８５】
このような実施例の建物１は、上記した実施例の空調システムを備えた構成とされている。
【００８６】
こうした構成なので、上記した実施例の空調システムの作用効果を享受した建物とすることができる。
【００８７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００８８】
例えば、上記した実施例では、イオン発生装置付き給気口７，９を、上記したような空調システムに適用して実施したが、これに限定されず、その他の空調システム、換気システム又は換気空調システムに適用して実施してもよい。
【００８９】
また、上記した実施例では、通気性を有する蓋として、ガラリ蓋７４を用いて実施したが、これに限定されず、格子状のグリル蓋などを用いて実施してもよい。
【符号の説明】
【００９０】
１      建物
１ａ    床部（床）
１ｂ    基礎底盤コンクリート
１ｃ    基礎側壁コンクリート（建物の外周の基礎）
１ｄ    外壁部
１ｅ    天井部
２      エアコンディショナの屋外機
２１    熱媒循環管路
３      エアコンディショナの屋内機（空調装置）
３１    吸込部
３２    床上用吹出部（床上用放熱冷部）
３３    床下用吹出部（床下用放熱部）
３２ａ  開閉弁
３３ａ  開閉弁
４      床下空間
５      床上空間
６      排気口
６ａ    防塵フィルター
７      給気口
７０    給気口ボックス
７１    膨出部
７２    筒状部
７３    落下物防止用のフィルター
７４    ガラリ蓋（通気性を有する蓋）
８１    ダクト
８２    ダクト
９      別の給気口
１０    基礎断熱材
１１    イオン発生装置
１１ａ  プラスイオンの放出孔
１１ｂ  マイナスイオンの放出孔
１１ｃ  電源線
１２    ドレイン
１３    コントローラ
【図１】
2012052729.tif 000003
【図２】
2012052729.tif 000004
【図３】
2012052729.tif 000005
【図４】
2012052729.tif 000006
【図５】
2012052729.tif 000007
【図６】
2012052729.tif 000008